(57)【要約】【課題】特にユーザが構造材料に接触しないか、又はわずかにしか接触しないユーザの認証に関して、三次元的な物体を付加的に製造するための改善された装置を提供すること。【解決手段】連続的で層ごとの選択的な露光と、これに伴う、エネルギービーム４を用いて凝固化可能な構造材料３から成る構造材料層の連続的で層ごとの選択的な凝固化とによって三次元的な物体２を付加的に製造するための装置１であって、該装置１の少なくとも１つの動作状態を使用するために装置１の少なくとも１人のユーザ１２を認証するために設置されている認証装置１１を含む前記装置において、認証装置１１が、装置１の潜在的なユーザ１２の、少なくとも１つの音響的な特徴、光学的な特徴又は身体的特徴を検出するために設置されている少なくとも１つの検出装置１４を含んでいる。【選択図】図１
2018118507.tif 000002
【特許請求の範囲】
【請求項１】
連続的で層ごとの選択的な露光と、これに伴う、エネルギービーム（４）を用いて凝固化可能な構造材料（３）から成る構造材料層の連続的で層ごとの選択的な凝固化とによって三次元的な物体（２）を付加的に製造するための装置（１）であって、該装置（１）の少なくとも１つの動作状態を使用するために前記装置（１）の少なくとも１人のユーザ（１２）を認証するために設置されている認証装置（１１）を含む前記装置において、
前記認証装置（１１）が、前記装置（１）の潜在的なユーザ（１２）の、少なくとも１つの音響的な特徴、光学的な特徴又は身体的特徴を検出するために設置されている少なくとも１つの検出装置（１４）を含んでいることを特徴とする装置。
【請求項２】
前記装置（１）の少なくとも１つの動作状態を使用するために認証されたユーザ（１２）の、特定の音響的な特徴、光学的な特徴又は身体的特徴を示すユーザデータがメモリされたメモリ装置（１７）を備えていることを特徴とする請求項１に記載の装置。
【請求項３】
前記装置（１）の少なくとも１つの動作状態を使用するために認証された各ユーザについてそれぞれ解放された前記装置（１）の動作状態を示すユーザプロファイルデータがメモリされている前記メモリ装置又は１つのメモリ装置（１７）を備えていることを特徴とする請求項１又は２に記載の装置。
【請求項４】
前記検出装置（１４）側で生成された、前記装置（１）の潜在的なユーザ（１２）の、少なくとも１つのそれぞれ検出された音響的な特徴、光学的な特徴又は身体的特徴を示す検出情報を前記メモリ装置（１７）にメモリされたユーザデータと比較し、対応する比較結果を示す比較結果情報を生成するために設置されている制御装置（１８）を備えていることを特徴とする請求項２又は３に記載の装置。
【請求項５】
ポジティブな比較結果を示す比較結果情報の場合には、前記制御装置（１８）が、それぞれ認証されたユーザ（１２）に割り当てられたユーザプロファイルデータを前記装置（１）の動作の制御の基礎とするように設置されていることを特徴とする請求項４に記載の装置。
【請求項６】
ネガティブな比較結果を示す比較結果情報の場合には、前記制御装置（１８）が、比較結果情報を前記装置（１）の動作及び場合によっては別の装置の動作を監視する監視装置へ伝達するように設置されていることを特徴とする請求項４又は５に記載の装置。
【請求項７】
前記検出装置（１４）が、前記装置（１）の潜在的なユーザ（１２）の少なくとも１つの光学的な特徴を検出するために設置されている光学的な検出装置、特に画像記録装置として形成されているか、若しくはそれを含んでいるか、又は前記検出装置（１４）が、前記装置（１）の潜在的なユーザ（１２）の少なくとも１つの音響的な特徴を検出するために設置されている音響的な検出装置、特に録音装置として形成されているか、若しくはそれを含んでいるか、又は前記検出装置（１４）が、前記装置（１）の潜在的なユーザ（１２）の少なくとも１つの身体的特徴を検出するために設置されている生体測定的な検出装置、特に指紋スキャン装置として形成されているか、若しくはそれを含むことを特徴とする請求項１〜６のいずれか１項に記載の装置。
【請求項８】
前記検出装置（１４）が、前記装置（１）の潜在的なユーザ（１２）の、少なくとも１つの音響的な特徴、光学的な特徴又は身体的特徴の検出を、前記装置（１）の潜在的なユーザ（１２）が前記装置（１）へ近づくことを検出するときに、又は前記装置（１）へ近づいた前記装置（１）の潜在的なユーザ（１２）を検出するときに自動的に実行するように設置されていることを特徴とする請求項１〜７のいずれか１項に記載の装置。
【請求項９】
前記検出装置又は１つの検出装置（１４）が、装置側のハウジング（１６）において、若しくは該ハウジング内で、特に前記装置（１）のプロセスチャンバ（１０）をのぞき込むことを可能とする視認窓の範囲、特に上方に配置若しくは形成されているか、又は
前記検出装置（１４）が、装置側のハウジング（１６）に配置若しくは形成された装置側のユーザインターフェース（１３）、特にタッチディスプレイ装置において、若しくは該ユーザインターフェース、特にタッチディスプレイ装置内に配置若しくは形成されていることを特徴とする請求項１〜８のいずれか１項に記載の装置。
【請求項１０】
前記装置（１）の動作状態が、前記装置（１）の初期動作、装置（１）の終了動作又は動作している前記装置（１）の所定の動作モード、特にデモンストレーションモードあるいはシミュレーションモード、構造モード若しくはプログラミングモードであることを特徴とする請求項１〜９のいずれか１項に記載の装置。
【請求項１１】
連続的で層ごとの選択的な露光と、これに伴う、エネルギービーム（４）を用いて凝固化可能な構造材料（３）から成る構造材料層の連続的で層ごとの選択的な凝固化とによって三次元的な物体（２）を付加的に製造するための装置（１）、特に請求項１〜１０のいずれか１項に記載の装置（１）を動作させるための方法において、
前記装置（１）の動作が認証装置（１１）による該装置（１）の潜在的なユーザ（１２）の行われた認証に基づき制御されていて、前記証装置（１１）が、前記装置（１）の少なくとも１つの動作状態を使用するための前記装置（１）の少なくとも１人のユーザの認証のために設置されていて、前記認証装置（１１）が、前記装置（１）の潜在的なユーザ（１２）の、少なくとも１つの音響的な特徴、光学的な特徴又は身体的特徴を検出するために設置された少なくとも１つの検出装置（１４）を含んでいることを特徴とする方法。
【発明の詳細な説明】
【技術分野】
【０００１】
本発明は、連続的で層ごとの選択的な露光と、これに伴う、エネルギービームを用いて凝固化可能な構造材料から成る構造材料層の連続的で層ごとの選択的な凝固化とによって三次元的な物体を付加的に製造するための装置であって、この装置の少なくとも１つの動作状態を使用するために装置の少なくとも１人のユーザを認証するために設置されている認証装置を含む前記装置に関するものである。
【背景技術】
【０００２】
三次元的な物体を付加的に製造するためのこのような装置は、それ自体知られている。適当な装置を用いて、製造されるべき三次元的な物体は、連続的で層ごとの選択的な露光と、これに伴う、エネルギービームを用いて凝固化可能な構造材料から成る、製造されるべき物体の層に関連する断面に対応する範囲における構造材料層の連続的で層ごとの選択的な凝固化とによって付加的に構成される。
【０００３】
また、適当な装置が、装置の少なくとも１つの動作状態の使用のための装置の少なくとも１人の認証のために設置されている認証装置を含んでいることが知られている。装置の各ユーザの認証は、これまで典型的には装置側のインターフェースにおける特定のパスワードのユーザ側での入力によって行われている。
【０００４】
これは、特に構造材料粒子がユーザインターフェースにおいて沈積されることがあり、認証に必要なパスワードの入力時にユーザが構造材料に接触し得るため、改善の必要がある状態である。安全技術的な観点から、ユーザの構造材料との各接触は基本的にできる限り避けられるべきである。
【発明の概要】
【発明が解決しようとする課題】
【０００５】
したがって、本発明の基礎をなす課題は、特にユーザが構造材料に接触しないか、又はわずかにしか接触しないユーザの認証に関して、三次元的な物体を付加的に製造するための改善された装置を提供することにある。
【課題を解決するための手段】
【０００６】
上記課題は、請求項１による三次元的な物体を付加的に製造するための装置によって解決される。これに従属する請求項は、装置の考えられる実施形態に関するものである。
【０００７】
ここに記載された装置（「装置」）は、連続的で層ごとの選択的な露光と、エネルギービームを用いて凝固化可能な構造材料から成る、製造されるべき物体の層に関連する断面に対応する範囲における構造材料層の連続的で層ごとの選択的な凝固化とによる、三次元的な物体、すなわち例えば技術的な部材あるいは技術的な部材群を付加的に製造するために設置されている。構造材料は、粒子状あるいは粉体状の金属材料、合成樹脂材料及び／又はセラミック材料であり得る。選択的に凝固化されるべき各構造材料層の選択的な凝固化は、物体に関する構造データに基づきなされる。適当な構造データは、付加的に製造されるべき各物体の幾何学的−構造上の形状を示すものであり、例えば付加的に製造されるべき各物体の「スライスされた」ＣＡＤデータを含むことができる。装置は、ＳＬＭ装置、すなわち選択的レーザ溶融法（ＳＬＭ法）を実行する装置として、又はＳＬＳ装置、すなわち選択的レーザ焼結法（ＳＬＳ法）を実行する装置として形成されることが可能である。装置がＳＥＢＳ装置、すなわち選択的電子ビーム溶融法（ｓｅｌｅｋｔｉｖｅｒ  Ｅｌｅｋｔｒｏｎｅｎｓｔｒａｈｌｓｃｈｍｅｌｚｖｅｒｆａｈｒｅｎ）（ＳＥＢＳ法）を実行するための装置として形成されることも考えられる。
【０００８】
装置は、付加的な構造工程の実行に典型的に必要な機能構成要素を含んでいる。これには、特に積層装置及び露光装置が含まれる。積層装置は、選択的に露光されるべき、あるいは選択的に凝固化されるべき構造材料層を装置の構造平面あるいは構造領域において形成するために設置されており、この構造平面あるいは構造領域では、連続的で層ごとの選択的な露光と、これに伴う、エネルギービームを用いて凝固化可能な構造材料から成る構造材料層の連続的で層ごとの選択的な凝固化とが行われる。露光装置は、装置の構造平面において、選択的に凝固化されるべき構造材料層の選択的な露光のために設置されている。
【０００９】
装置は、認証装置を含んでいる。ハードウェア及び／又はソフトウェアにより実行される認証装置は、装置の少なくとも１つの動作状態を使用するために装置の少なくとも１人のユーザを認証するために設置されている。したがって、一般的に、認証装置は、認証工程を実行するために設置されている。各認証工程によりユーザの認証が可能となり、その結果、このユーザは、認証成功後、装置の少なくとも１つの動作状態を使用することが可能である。適当な認証工程により、装置の認証されたユーザのみが装置の動作状態を使用することができるように装置の動作安全性が向上する。
【００１０】
装置の動作状態は、装置の初期動作、すなわち装置若しくは装置の機能構成要素の始動、装置の終了動作、すなわち装置若しくは装置の機能構成要素の停止、又は動作している装置の所定の動作モードであり得る。装置の動作モードは、例えば、付加的な構造工程の実行がデモンストレーションあるいはシミュレーションされるが、付加的な構造工程は実際には実行されないデモンストレーションモードあるいはシミュレーションモード、付加的な構造工程が実際に実行される構造モード、又は少なくとも１つの動作パラメータ、すなわち例えば、例えばエネルギービーム強度のような露光パラメータが付加的な構造工程の実行に関連してプログラミング可能なプログラミングモードであり得る。
【００１１】
認証装置は、ハードウェア及び／又はソフトウェアにより実行される検出装置を含んでいる。ハードウェア及び／又はソフトウェアにより実行されるこの検出装置は、装置の潜在的なユーザの、少なくとも１つの音響的な特徴、光学的な特徴又は身体的特徴を検出するために設置されている。したがって、冒頭に記載した従来技術とは異なり、認証は、後述するように、装置の潜在的なユーザの、音響的な特徴及び／又は光学的な特徴及び／又は別の身体的特徴の自動化された、あるいは自動的な検出によって行われる。したがって、認証工程は、装置の潜在的なユーザの、検出された音響的な特徴及び／又は光学的な特徴及び／又は別の身体的特徴に基づき極めて効率的に行われる。（積極的な）ユーザ側での操作、すなわち装置側のユーザインターフェースにおける特に所定のパスワードの入力は典型的には不要である。装置１の潜在的なユーザは、認証工程の範囲において、典型的には、装置との比較的最小の（物理的な）接触すら有さないか、あるいは身体的特徴の検出に関連して比較的最小の（物理的な）接触のみを有している。したがって、装置の潜在的なユーザは、認証工程の範囲において、構造材料に接触しないか、あるいはほとんど接触しない。この点では、冒頭に記載した従来技術に比して改善された装置が存在する。
【００１２】
検出装置は、光学的な検出装置として、すなわち特に画像記録装置、好ましくはカメラ装置として形成されることができるか、又はこのようなものを含むことができる。光学的な検出装置は、装置の潜在的なユーザの少なくとも１つの光学的な特徴を検出するために設置されている。装置の潜在的なユーザの光学的な特徴は、特に光学的に検出可能な特徴あるいは光学的に検出可能な、装置の潜在的なユーザの光学的に検出可能な所定の特徴の配置である。具体的には、適当な特徴は、例えばユーザの顔の特徴であり得る。検出装置あるいは認証装置は、典型的には、データ的な検出及び適当な光学的な特徴の評価のための適切なアルゴリズムによって構成されている。
【００１３】
さらに、検出装置又は代替的あるいは補足的な検出装置は、音響的な検出装置として、特に録音装置として、好ましくはマイクロフォン装置として形成されることが可能であるか、又はこのようなものを含むことが可能である。音響的な検出装置は、装置の潜在的なユーザの少なくとも１つの音響的な特徴を検出するために設置されている。装置の潜在的なユーザの音響的な特徴は、特に装置の潜在的なユーザの音響的に検出可能な特徴である。具体的には、適当な特徴は、例えば、（発音された）言語の特徴、すなわち特にユーザの振幅、周波数であり得る。検出装置あるいは認証装置は、典型的には、適当な音響的な特徴のデータによる検出及び評価のための適切なアルゴリズムを備えている。
【００１４】
最後に、検出装置又は代替的あるいは補足的な検出装置は、生体測定的な検出装置として、特に指紋スキャン装置として形成されることが可能であるか、又はこのようなものを含むことができる。生体測定的な検出装置は、装置の潜在的なユーザの少なくとも１つの身体的特徴を検出するために設置されている。装置の潜在的なユーザの身体的特徴は、特に装置の潜在的なユーザの、生体測定的に検出可能な特徴である。具体的には、適当な特徴は、例えばユーザの指の特徴、特に指紋であり得る。検出装置あるいは認証装置は、典型的には、適当な身体的特徴のデータによる検出及び評価のための適切なアルゴリズムを備えている。
【００１５】
検出装置は、合目的には、装置の潜在的なユーザの、少なくとも１つの音響的な特徴、光学的な特徴又は身体的特徴の検出を、装置の潜在的なユーザが装置へ近づくか、あるいは近づいたときに自動的に実行するように設置されていることが検出装置の全ての実施形態に当てはまる。これにより、ユーザ側の各特徴の自動化可能な、あるいは自動的な検出工程と、したがって各ユーザの自動化された、あるいは自動的な認証工程が可能となる。装置の潜在的なユーザが装置へ近づくか、あるいは近づいたことを検出するために、検出装置は、適切な検出要素、すなわち例えば近接センサを含むことができる。装置へ近づくか、あるいは装置へ近づいた装置の潜在的なユーザを検出するために、装置は、当然、適当な検出要素を備えた個別の検出装置を含むことが可能である。
【００１６】
装置側のハウジング、特に装置のプロセスチャンバをのぞき込むことを可能とする視認窓の範囲、特に上方の範囲において検出装置を配置又は形成することが可能であることが、検出装置の全ての実施形態に対して当てはまる。したがって、装置側のハウジングにおいて、又はこのハウジング内において、特にハウジングのフレーム要素において、統合して配置されるか、又は形成されることが可能である。これに代えて、又はこれに加えて、前記検出装置又は別の検出装置を、装置側のハウジングに配置又は形成された装置側のユーザインターフェース、特にタッチディスプレイ装置において、又はこの装置側のユーザインターフェース、特にタッチディスプレイ装置内において配置又は形成することが可能である。したがって、これに代えて、又はこれに加えて、前記検出装置又は別の検出装置は、ユーザインターフェース、すなわち例えばタッチディスプレイ特にユーザインターフェースのフレーム要素にも、又はこのフレーム要素内にも配置あるいは形成されることが可能である。
【００１７】
装置は、合目的には、認証装置に割り当て可能な、あるいは割り当てられた、データ貯蔵部とも呼ばれるか、あるいはみなされるメモリ装置を含んでいる。ハードウェア及び／又はソフトウェアで実行されるメモリ装置には、認証されたユーザのユーザデータをユーザデータベースの意味合いにおいてメモリすることができる。ユーザデータは、装置の少なくとも１つの動作状態の使用のために認証されたユーザの、所定の音響的な特徴、光学的な特徴又は身体的特徴を含むか、示すことが可能である。当然、適当なユーザデータは、別の、特に認証あるいは認証の成功後に可能な装置の動作状態の使用に関連して、各ユーザの関連するデータ、すなわち例えば氏名、企業における身分、雇用期間を含むか、あるいは示すことが可能である。メモリ装置内にメモリされたユーザデータにより、認証工程の範囲において、装置の潜在的なユーザの検出された特徴を装置の潜在的なユーザのデータ的にメモリされた特徴と比較することが可能となる。
【００１８】
認証装置に割り当て可能あるいは割り当てられた前記メモリ装置又は別のメモリ装置内には、装置の認証されたユーザのユーザプロファイルデータをメモリすることが可能である。ユーザプロファイルデータは、装置の少なくとも１つの動作状態の使用のために認証された各ユーザについてそれぞれ装置の解除された動作状態を含むか、あるいは示すことが可能である。換言すると、ユーザプロファイルデータは、認証された各ユーザに割り当てられた装置の各動作状態の使用権限を含むか、あるいは示すことが可能である。したがって、メモリ装置内にメモリされたユーザプロファイルデータにより、ユーザの認証の成功後に、認証された各ユーザに割り当てられたユーザプロファイルデータの自動化可能な、あるいは自動的な選択及び応用が可能となる。
【００１９】
装置は、合目的には、認証装置と、１つ又は複数のメモリ装置に割り当て可能あるいは割り当てられた制御装置を含んでいる。ハードウェア及び／又はソフトウェアにより実行される制御装置は、検出装置側で生成される、装置の潜在的なユーザの、少なくとも１つのそれぞれ検出された音響的な特徴、光学的な特徴又は身体的特徴に依存して示す検出情報をメモリ装置内にメモリされたユーザデータと比較するとともに、対応する比較結果を示す比較結果情報を生成するために設置されている。
【００２０】
制御装置は、ポジティブな比較結果を示す比較結果情報の場合には、すなわち装置のユーザの認証が成功した場合には、認証された各ユーザに割り当てられたユーザプロファイルデータが装置の動作の制御の基礎とされるように設置されることが可能である。
【００２１】
ネガティブな比較結果を示す比較結果情報の場合、すなわち場合によっては複数回にわたって装置の潜在的なユーザの認証が成功しない場合には、比較結果情報を、装置の動作及び場合によっては三次元的な物体の付加的な製造のための設備の各構成部材としての別の装置の動作を監視する監視装置へ伝達するように、制御装置を設置することが可能である。このために、装置は制御装置に割り当て可能な、あるいは割り当てられたデータ伝達装置を含んでおり、このデータ伝達装置は、ケーブルで接続された、又はケーブルなしの、場合によっては暗号化された（ｖｅｒｓｃｈｌｕｅｓｓｅｌｔ）、伝達相手方、すなわち特に適当な監視装置へのデータの伝達、すなわち特に適当な比較結果情報の伝達を行うものである。当然、同様に、ポジティブな比較結果を示す比較結果情報を伝達相手方、すなわち特に適当な監視装置へ伝達することも可能である。
【００２２】
本発明は、装置のほかに、連続的で層ごとの選択的な露光と、これに伴う、エネルギービームを用いて凝固化可能な構造材料から成る構造材料層の連続的で層ごとの選択的な凝固化とによって三次元的な物体を付加的に製造するための装置を動作させるための方法に関するものである。この方法は、装置の少なくとも１つの動作状態を使用するための装置の少なくとも１人のユーザの認証のために設置されていて、認証装置が、装置の潜在的なユーザの、少なくとも１つの音響的な特徴、光学的な特徴又は身体的特徴を検出するために設置された少なくとも１つの検出装置を含んでいる認証装置を用いて、装置の動作が、該装置の潜在的なユーザの行われた認証に基づき制御されることを特徴としている。この方法は、特に上述の装置によって実行されることができる。したがって、装置に関連した全ての実施は、同様に方法にも当てはまる。
【００２３】
本発明を、図面における実施例に基づいて詳細に説明する。このとき、唯一の図１は、一実施例による装置の原理図を示している。
【図面の簡単な説明】
【００２４】
【図１】一実施例による装置１の原理図である。
【発明を実施するための形態】
【００２５】
装置１は、連続的で層ごとの選択的な露光と、これに伴う、エネルギービーム４、すなわち特にレーザビームを用いて、凝固化可能な構造材料、すなわち例えば金属粉体から成る構造材料層の連続的で層ごとの選択的な凝固化とによって、三次元的な物体２、すなわち例えば技術的な部材あるいは技術的な部材群を付加的に製造するために用いられる。それぞれ凝固化されるべき構造材料層の選択的な凝固化は、物体に関する構造データを基礎として行われる。適当な構造データは、付加的に製造されるべき各物体２の幾何学的−構造上の形状を示すものであり、例えば製造されるべき物体２の「スライスされた」ＣＡＤデータを含むことが可能である。装置１は、ＳＬＭ装置として、すなわち選択的レーザ溶融法（ＳＬＭ法）を実行するための装置として、又はＳＬＳ装置として、すなわち選択的レーザ焼結法（ＳＬＳ法）を実行するための装置として形成されることが可能である。装置１は、例えばＬａｓｅｒ−ＣＵＳＩＮＧ（登録商標）装置として、すなわち選択的レーザ溶融法（ＳＬＭ法）を実行するための装置として形成されることができる。
【００２６】
装置１は付加的な構造工程の実行に必要な機能構成要素を含んでおり、図１には、例えば積層装置５及び露光装置６が示されている。積層装置５は、選択的に露光されるべき、あるいは選択的に凝固化されるべき構造材料層を装置１の一平面内あるいは構造領域において形成するために設置されており、このために、二重矢印Ｐ１によって示唆されているように、装置１の構造平面あるいは構造領域に対して相対的に可動に支持された、特にブレード型あるいはブレード状の積層要素（不図示）を含んでいる。露光装置６は、構造材料層装置１の構造平面内あるいは構造領域内での選択的に凝固化されるべき選択的な露光のために設置されており、このために、エネルギービーム４を発生させるために設置されているビーム発生装置（不図示）と、場合によってはビーム発生装置により発生されたエネルギービーム４を選択的に凝固化されるべき構造材料層の露光されるべき範囲へ偏向させるためのビーム偏向装置（不図示）と、例えばフィルタ要素、対物レンズ要素、レンズ要素のような様々な光学的な要素とを含んでいる。
【００２７】
また、図１には、配量モジュール７、構造モジュール８及びオーバーフローモジュール９が図示されており、これらモジュールは、装置１の不活性化可能なプロセスチャンバ１４の下方の範囲へドッキング（ａｎｇｅｄｏｃｋｔ）されている。上記モジュールは、装置１のプロセスチャンバ１４の下方の範囲も形成することが可能である。
【００２８】
装置１は、装置１の少なくとも１つの動作状態を利用するための装置１の少なくとも１人のユーザ１２の認証のために設置された、ハードウェア及び／又はソフトウェアにより実行される認証装置１１を含んでいる。したがって、認証装置１１は、ユーザ１２の認証を可能にする認証工程を実行するために設置されており、その結果、このユーザは、認証が成功した後に装置１の少なくとも１つの動作状態を用いることが可能である。
【００２９】
装置１の動作状態は、装置１の初期動作、すなわち装置１若しくは装置１の機能構成要素の始動、すなわち例えば露光装置６の始動、装置１の終了動作、すなわち装置１若しくは装置１の機能構成要素の停止、すなわち例えば露光装置６の停止、又は動作している装置１の所定の動作モードであり得る。装置１の動作モードは、例えば、付加的な構造工程の実行がデモンストレーションあるいはシミュレーションされるが、付加的な構造工程は実際には実行されないデモンストレーションモードあるいはシミュレーションモード、付加的な構造工程が実際に実行される構造モード、又は少なくとも１つの動作パラメータ、すなわち例えば、例えばエネルギービーム強度のような露光パラメータが付加的な構造工程の実行に関連してプログラミング可能なプログラミングモードであり得る。
【００３０】
認証装置１１は、ハードウェア及び／又はソフトウェアにより実行される検出装置１４を含んでおり、この検出装置は、装置１の潜在的なユーザ１２の、少なくとも１つの音響的な特徴、光学的な特徴又は身体的特徴を検出するために設置されている。したがって、ユーザ１２の認証は、潜在的なユーザ１２の、音響的な特徴及び／又は光学的な特徴及び／又は別の身体的特徴の自動化された、あるいは自動的な検出によって行われる。（積極的な）ユーザ側での操作、すなわち装置側のユーザインターフェース１３における特に所定のパスワードの入力は不要である。装置１の潜在的なユーザ１２は、認証工程の範囲において、典型的には、装置１との比較的最小の（物理的な）接触すら有さないか、あるいは身体的特徴の検出に関連して比較的最小の（物理的な）接触のみを有している。したがって、装置１の潜在的なユーザ１２は、認証工程の範囲において、構造材料３に接触しないか、あるいはほとんど接触しない。
【００３１】
検出装置１４は、図１に示した実施例では、光学的な検出装置として、すなわち画像記録装置、特にカメラ装置として形成されているとともに、装置１の潜在的なユーザ１２の少なくとも１つの光学的な特徴を検出するために設置されている。装置１の潜在的なユーザ１２の光学的な特徴は、特に光学的に検出可能な特徴あるいは光学的に検出可能な、装置１の潜在的なユーザ１２の光学的に検出可能な所定の特徴の配置である。具体的には、適当な特徴は、例えばユーザ１２の顔の特徴である。検出装置１４あるいは認証装置１１は、データ的な検出及び適当な光学的な特徴の評価のための適切なアルゴリズムによって構成されている。
【００３２】
検出装置１４は、図１に示された実施例において、例えばタッチディスプレイであるユーザインターフェース１３、すなわち特にユーザインターフェース１３のフレーム要素１５に、あるいはこのフレーム要素内に配置あるいは形成されている。これに代えて、例えば装置側の（外側の）ハウジング１６における、又はこのハウジング内での配置又は形成も、特に装置１のプロセスチャンバ１０をのぞき込むことを可能とする視認窓（不図示）の上方の範囲において可能である。したがって、検出装置１４は、装置側のハウジング１６においても、又はこのハウジング内においても、特にハウジング１６のフレーム要素（不図示）において、統合して配置されるか、又は形成されることが可能である。
【００３３】
検出装置１４は、装置１の潜在的なユーザ１２の、少なくとも１つの音響的な特徴、光学的な特徴又は身体的特徴の検出を、装置１の潜在的なユーザ１２が装置１へ近づくか、あるいは近づいたときに自動的に実行するように設置されている。装置１の潜在的なユーザ１２が装置１へ近づくか、あるいは近づいたことを検出するために、検出装置１４は、適切な検出要素（不図示）、すなわち例えば近接センサを含むことができる。装置１へ近づくか、あるいは装置１へ近づいた装置１の潜在的なユーザ１２を検出するために、装置１は、当然、適当な検出要素を備えた個別の検出装置（不図示）を含むことが可能である。
【００３４】
また、図１には、認証装置１１に割り当てられた、データ貯蔵部とも呼ばれるか、あるいはみなされるメモリ装置１７が示されている。ハードウェア及び／又はソフトウェアで実行されるメモリ装置１７には、認証されたユーザ１２のユーザデータがメモリされている。ユーザデータは、装置１の少なくとも１つの動作状態の使用のために認証されたユーザ１２の、所定の音響的な特徴、光学的な特徴又は身体的特徴を含むか、示すことが可能である。当然、適当なユーザデータは、別の、特に認証あるいは認証の成功後に可能な装置１の動作状態の使用に関連して、各ユーザ１２の関連するデータ、すなわち例えば氏名、企業における身分、雇用期間を含むか、あるいは示すことが可能である。メモリ装置１７内にメモリされたユーザデータにより、認証工程の範囲において、装置１の潜在的なユーザ１２の検出された特徴を装置１の潜在的なユーザ１２のデータ的にメモリされた特徴と比較することが可能となる。
【００３５】
加えて、メモリ装置１７内には、装置１の認証されたユーザ１２のユーザプロファイルデータをメモリすることも可能である。ユーザプロファイルデータは、装置１の少なくとも１つの動作状態の使用のために認証された各ユーザ１２についてそれぞれ装置１の解除された動作状態を含むか、あるいは示す。したがって、メモリ装置１７内にメモリされたユーザプロファイルデータにより、ユーザ１２の認証の成功後に、認証された各ユーザ１２に割り当てられたユーザプロファイルデータの自動化可能な、あるいは自動的な選択及び応用が可能となる。
【００３６】
図１には、認証装置１１及びメモリ装置１７に割り当てられた制御装置１８が更に示されている。ハードウェア及び／又はソフトウェアにより実行される制御装置１８は、検出装置１４側で生成される、装置１の潜在的なユーザ１２の、少なくとも１つのそれぞれ検出された音響的な特徴、光学的な特徴又は身体的特徴に依存して示す検出情報をメモリ装置１７内にメモリされたユーザデータと比較するとともに、対応する比較結果を示す比較結果情報を生成するために設置されている。
【００３７】
制御装置１８は、ポジティブな比較結果を示す比較結果情報の場合には、すなわち装置１のユーザ１２の認証が成功した場合には、認証された各ユーザ１２に割り当てられたユーザプロファイルデータが装置１の動作の制御の基礎とされるように設置されることが可能である。ネガティブな比較結果を示す比較結果情報の場合、すなわち場合によっては複数回にわたって装置１の潜在的なユーザ１２の認証が成功しない場合には、比較結果情報を、装置１の動作及び場合によっては三次元的な物体２の付加的な製造のための設備（不図示）の各構成部材としての別の装置（不図示）の動作を監視する監視装置（不図示）へ伝達するように、制御装置１８を設置することが可能である。このために、装置１は制御装置１８に（選択的に）割り当てられたデータ伝達装置１９を含んでおり、このデータ伝達装置は、ケーブルで接続された、又はケーブルなしの、場合によっては暗号化された（ｖｅｒｓｃｈｌｕｅｓｓｅｌｔ）、伝達相手方、すなわち特に適当な監視装置へのデータの伝達、すなわち特に適当な比較結果情報の伝達を行うものである。当然、同様に、ポジティブな比較結果を示す比較結果情報を伝達相手方、すなわち特に適当な監視装置へ伝達することも可能である。
【００３８】
図１に示された実施例において光学的な検出装置が示されていても、この検出装置１４又は代替的あるいは補足的な検出装置１４は、音響的な検出装置として、特に録音装置として、好ましくはマイクロフォン装置として形成されることが可能である。音響的な検出装置は、装置１の潜在的なユーザ１２の少なくとも１つの音響的な特徴を検出するために設置されている。装置１の潜在的なユーザ１２の音響的な特徴は、特に装置１の潜在的なユーザ１２の音響的に検出可能な特徴である。具体的には、適当な特徴は、例えば、（発音された）言語の特徴、すなわち特にユーザ１２の振幅、周波数であり得る。検出装置あるいは認証装置は、典型的には、適当な音響的な特徴のデータによる検出及び評価のための適切なアルゴリズムを備えている。
【００３９】
同様に、検出装置１４又は代替的あるいは補足的な検出装置１４は、生体測定的な検出装置として、特に指紋スキャン装置として形成されることが可能である。生体測定的な検出装置は、装置１の潜在的なユーザ１２の少なくとも１つの身体的特徴を検出するために設置されている。装置１の潜在的なユーザ１２の身体的特徴は、特に装置１の潜在的なユーザ１２の、生体測定的に検出可能な特徴である。具体的には、適当な特徴は、例えばユーザ１２の指の特徴、特に指紋であり得る。検出装置あるいは認証装置は、典型的には、適当な身体的特徴のデータによる検出及び評価のための適切なアルゴリズムを備えている。
【００４０】
図１に示された実施例において示された装置１により、連続的で層ごとの選択的な露光、及びこれに伴う、エネルギービーム４を用いて凝固化可能な構造材料３からなる構造材料層の連続的で層ごとの選択的な凝固化による三次元的な物体２の付加的な製造のための装置１の動作のための方法を実行することが可能である。この方法は、装置１の少なくとも１つの動作状態を使用するための装置１の少なくとも１人のユーザ１２の認証のために設置されていて、認証装置１１が、装置１の潜在的なユーザ１２の、少なくとも１つの音響的な特徴、光学的な特徴又は身体的特徴を検出するために設置された少なくとも１つの検出装置１４を含んでいる認証装置１１を用いて、装置１の動作が、装置１の潜在的なユーザ１２の行われた認証に基づき制御されることを特徴としている。
【図１】
2018118507.tif 000003